【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段と、
前記増減情報に基づいて、前記最大表示数を設定する表示数設定手段と、
設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、
前記最大表示数を変更した後の前記インデックス画面を表示装置に表示させる表示制御手段と
を含む表示制御装置。
【請求項２】
前記インデックス画面においては、前記データが格子状に配置されており、
前記配置設定手段は、前記最大表示数を変更する前の前記インデックス画面において前記指示位置に最も近い位置に表示されているデータが、前記最大表示数を変更した後の前記インデックス画面において、前記指示位置を含む行または列に配置されるように前記データの配置を設定する
請求項１に記載の表示制御装置。
【請求項３】
前記表示装置は、表示画面上の複数の点に対する入力が可能であり、
前記取得手段は、前記表示画面上において指示された点の位置を前記指示位置として取得する
請求項１または２に記載の表示制御装置。
【請求項４】
前記表示装置は、画像の表示と外部から入力される光の検出を行い、表示画面上の複数の点に対する入力が可能な入出力部を有し、
前記取得手段は、前記表示画面上において第１の点および第２の点の指示が開始されたときの前記第１の点と前記第２の点の中点の位置を前記指示位置として取得し、前記第１の点と前記第２の点の指示が開始されたときの前記第１の点と前記第２の点との間の距離と、前記第１の点と前記第２の点の指示が終了したときの前記第１の点と前記第２の点との間の距離との間の変化量を前記増減情報として取得する
請求項３に記載の表示制御装置。
【請求項５】
表示されるデータの数の最大値である最大表示数の変更が可能で、前記最大表示数に応じて所定の形式でデータが配置されて表示されるインデックス画面の表示装置による表示を制御する表示制御装置が、
前記インデックス画面上において指示された位置である指示位置、および、前記最大表示数の増加または減少の指示を示す増減情報を取得し、
前記増減情報に基づいて、前記最大表示数を設定し、
設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し、
前記最大表示数を変更した後の前記インデックス画面を前記表示装置に表示させる
ステップを含む表示制御方法。
【請求項６】
表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得し、
前記増減情報に基づいて、前記最大表示数を設定し、
設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し、
前記最大表示数を変更した後の前記インデックス画面を表示装置に表示させる
ステップを含む処理をコンピュータに実行させるためのプログラム。
【請求項７】
表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段と、
前記増減情報に基づいて、前記最大表示数を設定する表示数設定手段と、
設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、
前記最大表示数を変更した後の前記インデックス画面を表示させる表示制御手段と
を含む表示装置。
【請求項８】
前記インデックス画面においては、前記データが格子状に配置されており、
前記配置設定手段は、前記最大表示数を変更する前の前記インデックス画面において前記指示位置に最も近い位置に表示されているデータが、前記最大表示数を変更した後の前記インデックス画面において、前記指示位置を含む行または列に配置されるように前記データの配置を設定する
請求項７に記載の表示装置。
【請求項９】
表示画面上の複数の点に対する入力が可能であり、
前記取得手段は、前記表示画面上において指示された点の位置を前記指示位置として取得する
請求項７または８に記載の表示装置。
【請求項１０】
画像の表示と外部から入力される光の検出を行い、表示画面上の複数の点に対する入力が可能な入出力手段を
さらに含み、
前記取得手段は、前記表示画面上において第１の点および第２の点の指示が開始されたときの前記第１の点と前記第２の点の中点の位置を前記指示位置として取得し、前記第１の点と前記第２の点の指示が開始されたときの前記第１の点と前記第２の点との間の距離と、前記第１の点と前記第２の点の指示が終了したときの前記第１の点と前記第２の点との間の距離との間の変化量を前記増減情報として取得する
請求項９に記載の表示装置。
【請求項１１】
表示されるデータの数の最大値である最大表示数の変更が可能で、前記最大表示数に応じて所定の形式でデータが配置されて表示されるインデックス画面を表示する表示手段と、
前記インデックス画面上において指示された位置である指示位置、および、前記最大表示数の増加または減少の指示を示す増減情報を取得する取得手段と、
前記増減情報に基づいて、前記最大表示数を設定する表示数設定手段と、
設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、
前記最大表示数を変更した後の前記インデックス画面を前記表示手段に表示させる表示制御手段と
を含む撮像装置。
【手続補正２】
【補正対象書類名】明細書
【補正対象項目名】００１３
【補正方法】変更
【補正の内容】
【００１３】
本発明の第１の側面の表示制御装置は、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段と、前記増減情報に基づいて、前記最大表示数を設定する表示数設定手段と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、前記最大表示数を変更した後の前記インデックス画面を表示装置に表示させる表示制御手段とを備える。
【手続補正３】
【補正対象書類名】明細書
【補正対象項目名】００１７
【補正方法】変更
【補正の内容】
【００１７】
本発明の第１の側面の表示制御方法は、表示されるデータの数の最大値である最大表示数の変更が可能で、前記最大表示数に応じて所定の形式でデータが配置されて表示されるインデックス画面の表示装置による表示を制御する表示制御装置が、前記インデックス画面上において指示された位置である指示位置、および、前記最大表示数の増加または減少の指示を示す増減情報を取得し、前記増減情報に基づいて、前記最大表示数を設定し、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し、前記最大表示数を変更した後の前記インデックス画面を前記表示装置に表示させるステップを含む。
本発明の第１の側面のプログラムは、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得し、前記増減情報に基づいて、前記最大表示数を設定し、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し、前記最大表示数を変更した後の前記インデックス画面を表示装置に表示させるステップを含む処理をコンピュータに実行させる。
【手続補正４】
【補正対象書類名】明細書
【補正対象項目名】００１８
【補正方法】変更
【補正の内容】
【００１８】
本発明の第２の側面の表示装置は、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段と、前記増減情報に基づいて、前記最大表示数を設定する表示数設定手段と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、前記最大表示数を変更した後の前記インデックス画面を表示させる表示制御手段とを備える。
【手続補正５】
【補正対象書類名】明細書
【補正対象項目名】００２２
【補正方法】変更
【補正の内容】
【００２２】
本発明の第３の側面の撮像装置は、表示されるデータの数の最大値である最大表示数の変更が可能で、前記最大表示数に応じて所定の形式でデータが配置されて表示されるインデックス画面を表示する表示手段と、前記インデックス画面上において指示された位置である指示位置、および、前記最大表示数の増加または減少の指示を示す増減情報を取得する取得手段と、前記増減情報に基づいて、前記最大表示数を設定する表示数設定手段と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段と、前記最大表示数を変更した後の前記インデックス画面を前記表示手段に表示させる表示制御手段とを備える。
【手続補正６】
【補正対象書類名】明細書
【補正対象項目名】００２３
【補正方法】変更
【補正の内容】
【００２３】
本発明の第１の側面においては、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報が取得され、前記増減情報に基づいて、前記最大表示数が設定され、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置が設定され、前記最大表示数を変更した後の前記インデックス画面を表示装置に表示される。
【手続補正７】
【補正対象書類名】明細書
【補正対象項目名】００２４
【補正方法】変更
【補正の内容】
【００２４】
本発明の第２の側面においては、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報が取得され、前記増減情報に基づいて、前記最大表示数が設定され、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置が設定され、前記最大表示数を変更した後の前記インデックス画面が表示される。
【手続補正８】
【補正対象書類名】明細書
【補正対象項目名】００２５
【補正方法】変更
【補正の内容】
【００２５】
本発明の第３の側面においては、表示されるデータの数の最大値である最大表示数の変更が可能で、前記最大表示数に応じて所定の形式でデータが配置されて表示されるインデックス画面が表示され、前記インデックス画面上において指示された位置である指示位置、および、前記最大表示数の増加または減少の指示を示す増減情報が取得され、前記増減情報に基づいて、前記最大表示数が設定され、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置が設定され、前記最大表示数を変更した後の前記インデックス画面が表示される。
【手続補正９】
【補正対象書類名】明細書
【補正対象項目名】００２８
【補正方法】変更
【補正の内容】
【００２８】
本発明の第１の側面の表示制御装置（例えば、図３のインデックス表示制御部１６１）は、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段（例えば、図３の受信部１７１）と、前記増減情報に基づいて、前記最大表示数を設定する表示数設定手段（例えば、図３の表示数設定部１７３）と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段（例えば、図３の配置設定部１７４）と、前記最大表示数を変更した後の前記インデックス画面を表示装置（例えば、図２の入出力パネル１１６）に表示させる表示制御手段（例えば、図３の画像データ生成部１７５）とを備える。
【手続補正１０】
【補正対象書類名】明細書
【補正対象項目名】００３０
【補正方法】変更
【補正の内容】
【００３０】
本発明の第１の側面の表示制御方法は、表示されるデータの数の最大値である最大表示数の変更が可能で、前記最大表示数に応じて所定の形式でデータが配置されて表示されるインデックス画面の表示装置（例えば、図２の入出力パネル１１６）による表示を制御する表示制御装置（例えば、図３のインデックス表示制御部１６１）が、前記インデックス画面上において指示された位置である指示位置、および、前記最大表示数の増加または減少の指示を示す増減情報を取得し（例えば、図１５のステップＳ１０１）、前記増減情報に基づいて、前記最大表示数を設定し（例えば、図１５のステップＳ１０７）、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し（例えば、図１５のステップＳ１０８）、前記最大表示数を変更した後の前記インデックス画面を前記表示装置に表示させる（例えば、図１５のステップＳ１０９）ステップを含む。
本発明の第１の側面のプログラムは、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得し（例えば、図１５のステップＳ１０１）、前記増減情報に基づいて、前記最大表示数を設定し（例えば、図１５のステップＳ１０７）、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定し（例えば、図１５のステップＳ１０８）、前記最大表示数を変更した後の前記インデックス画面を表示装置（例えば、図２の入出力パネル１１６）に表示させる（例えば、図１５のステップＳ１０９）ステップを含む処理をコンピュータに実行させる。
【手続補正１１】
【補正対象書類名】明細書
【補正対象項目名】００３１
【補正方法】変更
【補正の内容】
【００３１】
本発明の第２の側面の表示装置（例えば、図２の入出力パネル１１６）は、表示されるデータの数の最大値である最大表示数の変更が可能で、前記最大表示数に応じて所定の形式でデータが配置されて表示されるインデックス画面上において指示された位置である指示位置、および、前記最大表示数の増加または減少の指示を示す増減情報を取得する取得手段（例えば、図３の受信部１７１）と、前記増減情報に基づいて、前記最大表示数を設定する表示数設定手段（例えば、図３の表示数設定部１７３）と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段（例えば、図３の配置設定部１７４）と、前記最大表示数を変更した後の前記インデックス画面を表示させる表示制御手段（例えば、図３の画像データ生成部１７５）とを備える。
【手続補正１２】
【補正対象書類名】明細書
【補正対象項目名】００３３
【補正方法】変更
【補正の内容】
【００３３】
本発明の第３の側面の撮像装置（例えば、図３０のデジタルカメラ６４１）は、表示されるデータの数の最大値である最大表示数の変更が可能で、前記最大表示数に応じて所定の形式でデータが配置されて表示されるインデックス画面を表示する表示手段（例えば、図３０の表示部６５２）と、前記インデックス画面上において指示された位置である指示位置、および、前記最大表示数の増加または減少の指示を示す増減情報を取得する取得手段（例えば、図３の受信部１７１）と、前記増減情報に基づいて、前記最大表示数を設定する表示数設定手段（例えば、図３の表示数設定部１７３）と、設定された前記最大表示数に応じた形式に基づいて前記データを配置するとともに、前記最大表示数を変更する前の前記インデックス画面において前記指示位置に最も近い位置に表示されているデータが、前記最大表示数を変更した後の前記インデックス画面において、前記指示位置上または前記指示位置の近傍に配置されるように前記データの配置を設定する配置設定手段（例えば、図３の配置設定部１７４）と、前記最大表示数を変更した後の前記インデックス画面を前記表示手段に表示させる表示制御手段（例えば、図３の画像データ生成部１７５）とを備える。